(57)【要約】 【課題】特に掃除容易かつグリル調理の幅を広げることができるグリドルを提供する。【解決手段】プレート３は、周縁部３ａを残して内側に窪んだ凹形状に構成されている。また、四隅内面３ｂは曲面形状に構成されており、調理後の掃除を容易としている。プレート３の内表面にはダイヤモンドコーティングが施されている。天板２ａの左右位置には、プレートカバー収納部２ｈが設けられている。一対のプレートカバー４は、使用時においてグリルプレート３の上を左右から覆う大きさに作られている。プレートカバー４の凹面とプレートカバー下面との間には一定の深さｄ（例えば２〜３ｃｍ）が確保されているため、食材を入れた状態でカバー４を被せることができる。【選択図】図５
2014124409.tif 000002
【特許請求の範囲】
【請求項１】
ケーシング上面に焼き物加熱用のグリルプレートを備えたグリドルであって、
ケーシング内に設けたプレートカバー収納部に収納され、使用時に取り出して該グリルプレートを覆うプレートカバーを備えたことを特徴とするグリドル。
【請求項２】
前記グリルプレートは、周縁部を除き窪ませた断面凹形状に構成したことを特徴とする請求項1に記載のグリドル。
【請求項３】
前記プレートカバーは、前記グリルプレートの両端部に隣接して備えた一対の前記プレートカバー収納部にそれぞれ収納可能に構成し、一対の前記プレートカバーにより前記グリルプレート上を覆うように構成したことを特徴とする請求項1又は２に記載のグリドル。
【請求項４】
前記プレートカバー収納部の下側に、ケーシング前面側に取り出し可能に構成した汁受皿を、さらに備えたことを特徴とする請求項1乃至３のいずれかに記載のグリドル。
【請求項５】
前記グリルプレートは、内側表面にダイアモンド・コーティングを施して成ることを特徴とする請求項1乃至４のいずれかに記載のグリドル。
【発明の詳細な説明】
【技術分野】
【０００１】
本発明はグリドルに係り、特に掃除容易かつグリル調理の幅を広げることができるグリドルに関する。
【背景技術】
【０００２】
グリドルは、焼き物調理機器の一つとして業務用を中心に広く利用されている。図９を参照して、従来のグリドル１００は、ケーシング１０４の上面に配置したグリルプレート（鉄板）１０１を、バーナ１０２により加熱して、グリルプレート１０１上に載せた肉等の食材を調理するものである。
【０００３】
グリルプレート１０１は通常フラットに構成されているため、食材を載せた状態ではその上にカバーを被せることができない。このため、蒸し工程が求められる料理の場合には、別途半球型の金属カバー等を使用することが一般的である（なお、餃子焼き器用のグリドルとして、プレートカバーをケーシング後面側に備えたタイプが開示されている（例えば特許文献１等））。
【０００４】
また調理後の掃除に際しては、プレート１０１面に残留する油分や食材かす等は、金属スクレバー等の専用器具によりそぎ落として、前面下部に設けた油受け１０３の中に溜め、定期的にこれを取り出して廃棄している。また金属スクレバー等を使用するとプレート表面を傷つけるため、通常、プレート表面にはコーティング等は施されていない。
【先行技術文献】
【特許文献】
【０００５】
【特許文献１】特開２０１１−２４０００８号公報
【発明の概要】
【発明が解決しようとする課題】
【０００６】
しかしながら、蒸し料理の都度、別途プレートカバーを用意することは煩に堪えない。また、ケーシング外側に固定するタイプのプレートカバーについては、掃除の際に労力を要するという問題がある。
さらに、プレート表面がコーティングされていないため、プレート表面の残留物が焦げ付いている場合にはそぎ落としに力を要し、またプレート表面を常にきれいに保つことが難しいという問題がある。
【課題を解決するための手段】
【０００７】
本発明は上記課題を解決するためのものであって、以下の内容を要旨とする。すなわち、本発明に係るグリドルは、
（１）ケーシング上面に焼き物加熱用のグリルプレートを備えたグリドルであって、
ケーシング内に設けたプレートカバー収納部に収納され、使用時に取り出して該グリルプレートを覆うプレートカバーを備えたことを特徴とするグリドル。
【０００８】
（２）上記発明において、前記グリルプレートは、周縁部を除き窪ませた断面凹形状に構成したことを特徴とする。
【０００９】
（３）上記各発明において、前記プレートカバーは、前記グリルプレートの両端部に隣接して備えた一対の前記プレートカバー収納部にそれぞれ収納可能に構成し、一対の前記プレートカバーにより前記グリルプレート上を覆うように構成したことを特徴とする。
【００１０】
（４）上記各発明において、前記プレートカバー収納部の下側に、ケーシング前面側に取り出し可能に構成した汁受皿を、さらに備えたことを特徴とする。
【００１１】
（５）上記各発明において、前記グリルプレートは、内側表面にダイアモンド・コーティングを施して成ることを特徴とする請。
【発明の効果】
【００１２】
本発明によれば、不使用時にプレートカバーをケーシング内に収納できるため、蒸し料理が必要な時にのみ取り出して調理できるという効果がある。
また、独立した１対のプレートカバーを備える構成としたため、蒸し焼き料理と焼物料理を一度にできるという効果がある。
また、プレート表面にダイヤモンドコーティングを施す発明にあっては、食材のこびり付きを防止でき、調理後の掃除が極めて容易という効果がある。
【図面の簡単な説明】
【００１３】
【図１】本発明の一実施形態に係るグリドル１（プレートカバー４収納状態）を示す図である。
【図２】同上の正面（一部断面）構成を示す図である。
【図３】同上の側面（一部断面）構成を示す図である。
【図４】プレートカバー４使用状態を示す図である。
【図５】同上の正面（一部断面）構成を示す図である。
【図６】グリドル１の汁受け皿を取り出した状態を示す図である。
【図７】グリドル１の変形例（グリドル１’）を示す図（一部断面）である。
【図８】グリドル１の他の変形例（グリドル１”）を示す図（一部断面）である。
【図９】従来のグリドル１００を示す図である。
【発明を実施するための形態】
【００１４】
以下、本発明に係るグリドルの一実施形態について、図１乃至８を参照してさらに詳細に説明する。なお、本発明の範囲は特許請求の範囲記載のものであって、以下の実施形態に限定されないことはいうまでもない。
【００１５】
図１乃至３を参照して、本実施形態に係るグリドル１は、箱形状のケーシング２の天板２ａ面にグリルプレート３（以下、適宜、プレート３と略記）が配置されている。プレート３の下側には、プレート加熱のための複数の棒バーナ５が配設されている。各バーナ５にはガス配管５ｂを介して都市ガスが供給されており、前面板２ｂの操作つまみ２ｃの操作により、これと連動する制御ユニット５ａが作動して燃焼開始、停止、燃焼量制御が行われ、プレート加熱制御を可能に構成されている。燃焼後の排ガスは、背面側の排気流路２ｄを上昇して排気口２ｅから機外に排出される。排ガスは、さらに不図示のダクトに集められて屋外に導かれる。
【００１６】
プレート３は、周縁部３ａを残して内側に窪んだ凹形状に構成されている。また、四隅内面３ｂは曲面形状に構成されており、調理後の掃除を容易としている。プレート３の内表面にはダイヤモンドコーティングが施されており、焼き物調理の際の食材こびり付きを防止し、また、調理後に雑巾などで表面を拭き取ることを容易としている。
グリルプレート３に隣接する天板２ａの左右位置には、プレートカバー収納部２ｈが設けられており、この中にプレートカバー４を垂直方向に収容可能に構成されている。
【００１７】
図４，５を参照して、一対のプレートカバー４は、使用時においてグリルプレート３の上を左右から覆う大きさに作られている。プレートカバー４の凹面とプレートカバー下面との間には一定の深さｄ（例えば２〜３ｃｍ）が確保されているため、食材を入れた状態でカバー４を被せることができる。プレートカバー４の材質としては透明な強化ガラスが用いられており、プレート３の上に被せた状態でプレート内の食材の調理状況を確認できるように構成されている。
各プレートカバー４の互いに接する側の端部には把手部４ａが設けられている。把手部４ａはプレートカバー４を収納部２ｈから取り出す際に把手として用いることができ、また、収納時には天板２ａに設けられた掛止部２ｇに掛止させて、プレートカバー４を垂直に立てた状態で収納できるように構成されている。
【００１８】
ケーシング２の底板２ｆ上部には汁受皿６が載置されており、調理時にプレートカバー４に付着した水分や油分が収納時に落下したときは、汁受皿６で受けられるように構成されている。図６を参照して、汁受皿６は前面板２ｂの開口部２ｉから引き出すことができるように構成されており、皿内に溜まった水分や油分を外部に捨てることができる。
【００１９】
以上説明したように本実施形態のグリドル１によれば、通常はプレートカバー４をケーシング２内に収納しておき、蒸し料理等の際に収納部２ｈ取り出して用いることができる。また、プレートカバー４が２分割されているため、プレート３の片側面上にプレートカバー４を被せて蒸し焼き料理を行い、他の片側面はオープンにして焼物料理をする、というように調理形態が可能となる。
【００２０】
なお、本実施形態ではプレートカバー４をプレート３の左右に収納する例を示したが、図７に示すように、プレートカバー２１をプレート３の後方に設けた収納部２２に、２つ折り状態で収納する態様とすることもできる。この場合、収納部２２が排ガス流路を妨げる場合には、排気通路２３を、排ガスが側面から収納部２２背面を回り込んで排気口２ｅに導くように構成することにより解決可能となる。
【００２１】
また、本実施形態ではプレートカバーとして、グリルプレートを２分割して覆う例を示したが、図８に示すように、プレートカバー４１を、短冊形状のカバー部材３１ａを複数連結して、グリルプレート３を覆うに構成としてもよい。本態様では、プレートカバー４１収納時には、ロール状に巻いて収納部３２に収納できる。本態様についても、排気通路を図７と同様の構成とすることにより、排ガス通路の問題は解消される。
【００２２】
また、本実施形態では加熱用バーナとして自然燃焼方式の棒バーナを用いる例を示したが、これに限らず赤外線バーナ等を用いる態様とすることもできる。さらに、自然燃焼方式に限らず、強制燃焼方式のバーナを用いる態様とすることもできる。
【産業上の利用可能性】
【００２３】
本発明は、熱源として都市ガス、ＬＰガスのみならず、例えば電気等、他の熱源とするグリドルに広く適用可能である。
【符号の説明】
【００２４】
１、１’、１”・・・・グリドル
２・・・・ケーシング
３・・・・グリルプレート
４、２１，３１・・・・プレートカバー
４ａ・・・・把手部
５・・・・バーナ
６・・・・汁受皿
２ｈ、２２、３２・・・・プレートカバー収納部
【図１】
2014124409.tif 000003
【図２】
2014124409.tif 000004
【図３】
2014124409.tif 000005
【図４】
2014124409.tif 000006
【図５】
2014124409.tif 000007
【図６】
2014124409.tif 000008
【図７】
2014124409.tif 000009
【図８】
2014124409.tif 000010
【図９】
2014124409.tif 000011